(57)【要約】【課題】  従来の光コネクタは、いずれも、現地で光ファイバを切断して光コネクタを取り付けることができるが、組み立てに特殊な工具が必要であったり、狭隘な場所に設置することができなかったりする問題があった。【解決手段】  本願発明は、接続する光ファイバ素線を挿入する挿入口を有する光コネクタ筐体と、光コネクタ筐体の挿入口に挿入する光ファイバ素線を所定の位置に保持する保持部材と、該挿入する光ファイバ素線の先端部を該保持部材に押さえる押さえ部材と、ボタンの開放時に、該押さえ部材を反発力で該保持部材方向に押さえつける押さえバネと、押し込んだ時に該押さえバネの反発力を減殺し、開放時に該押さえバネの反発力で元の位置に復旧する該ボタンと、を備える光コネクタである。【選択図】図１
2005031544.tif 000002
【特許請求の範囲】
【請求項１】
光ファイバ素線を挿入する挿入口を有する光コネクタ筐体と、
該挿入する光ファイバ素線を所定の位置に保持する保持部材と、
該挿入する光ファイバ素線の先端部を該保持部材に押さえる押さえ部材と、
ボタンの開放時に、該押さえ部材を反発力で該保持部材方向に押さえつける押さえバネと、押し込んだ時に該押さえバネの反発力を減殺し、開放時に該押さえバネの反発力で元の位置に復旧する該ボタンと、を備える光コネクタ。
【請求項２】
前記押さえバネは、前記ボタンを開放時に前記押さえ部材を前記挿入する光ファイバ素線の挿入方向に押し込む押し込み力も発生することを特徴とする請求項１に記載の光コネクタ。
【請求項３】
前記保持部材は、保持する側の面に形成されたＶ溝で前記挿入する光ファイバ素線を保持することを特徴とする請求項１又は２に記載の光コネクタ。
【請求項４】
前記保持部材のＶ溝は、前記挿入する光ファイバ素線を保持したときに前記挿入する光ファイバ素線の一部が前記保持部材の保持する側の面からはみ出る深さであることを特徴とする請求項３に記載の光コネクタ。
【請求項５】
前記押さえ部材は、押さえる側の面に形成されたＶ溝で前記挿入する光ファイバ素線を押さえることを特徴とする請求項１から４に記載のいずれかの光コネクタ。
【請求項６】
前記押さえ部材のＶ溝は、前記挿入する光ファイバ素線を押さえたときに前記挿入する光ファイバ素線の一部が前記押さえ部材の押さえる側の面からはみ出る深さであることを特徴とする請求項５に記載の光コネクタ。
【請求項７】
前記押さえ部材は、シリコンゴム又は硬質プラスチックで構成されていることを特徴とする請求項１から６に記載のいずれかの光コネクタ。
【請求項８】
前記挿入した光ファイバ素線の端面に押し当てて前記挿入する光ファイバ素線を所定の位置に係止するストッパーをさらに備えることを特徴とする請求項１から７に記載のいずれかの光コネクタ。
【請求項９】
前記ストッパーは、前記挿入口と反対方向から挿入して前記保持部材のＶ溝に固定した被接続光ファイバ素線であることを特徴とする請求項８に記載の光コネクタ。
【請求項１０】
前記ストッパーは、穴部に被接続光ファイバ心線を具備するフェルールであることを特徴とする請求項８に記載の光コネクタ。
【請求項１１】
内部の一方の側に光ファイバ心線を具備する両切りのフェルールが収容され、内部の他方の側に被接続光ファイバ心線を具備するフェルールを収容可能な空間を有するスリーブをさらに備え、前記ストッパーは該両切りのフェルールであることを特徴とする請求項８に記載の光コネクタ。
【請求項１２】
前記挿入口は、光コネクタ筐体の内部に向けて狭くなり前記保持部材のＶ溝に導くテーパ状のガイドを有することを特徴とする請求項１から１１に記載のいずれかの光コネクタ。
【請求項１３】
前記ボタン及び前記挿入口が、前記光コネクタ筐体の同一面に配置されていることを特徴とする請求項１から１２に記載のいずれかの光コネクタ。
【請求項１４】
前記挿入口が外面側になるように請求項１から１３に記載のいずれかの光コネクタを複数設置した光コネクタボックス。
【発明の詳細な説明】
【技術分野】
【０００１】
本発明は、簡易な組み立てを可能とする光コネクタに関する。特に、光ファイバ素線を接続する光コネクタであって、光通信装置を設置する現地で組み立て可能な光コネクタに関する。
【背景技術】
【０００２】
近年のブロードバンド通信サービスの普及に伴い、光通信システムがアクセスネットワークにも導入されるようになってきた。アクセスネットワークでは、大量の光ファイバを狭隘な場所に設置するために、小型な光コネクタが必要になった。また、光通信装置に接続するために現地で光ファイバを切断して、切断した光ファイバ端に簡易に取り付けることのできる光コネクタが必要になってきた。
【０００３】
光通信装置を設置する現地で光ファイバ接続するには、融着接続やメカニカルスプライスがあるが、これらの接続には高価で特殊な工具が用いられ、熟練した作業者でしか施工できなかった。また、光コネクタ接続は、光ファイバ端に光コネクタの取り付けが必要であるため、従来は、特殊な工具で組み立てる光コネクタが開発されてきた。従来の光コネクタとしては、光ファイバ素線の先端同士が突き当たるように、接触させる光コネクタが開発されている（例えば、特許文献１、特許文献２参照。）。
【特許文献１】特開２０００−４７０６１号公報
【特許文献２】特開２００２−２７７６８２号公報
【発明の開示】
【発明が解決しようとする課題】
【０００４】
従来の光コネクタは、いずれも、現地で光ファイバを切断して光コネクタを取り付けることができるが、組み立てに特殊な工具が必要であったり、狭隘な場所に設置することができなかったりする問題があった。
【０００５】
そこで、本発明では、特殊な工具を用いることなく簡易に組み立てることのでき、狭隘な場所にも設置できる構造の光コネクタを提供することを目的とする。
【課題を解決するための手段】
【０００６】
上記目的を達成するために、本願第一発明は、光ファイバ素線を挿入する挿入口を有する光コネクタ筐体と、該挿入する光ファイバ素線を所定の位置に保持する保持部材と、該挿入する光ファイバ素線の先端部を該保持部材に押さえる押さえ部材と、ボタンの開放時に、該押さえ部材を反発力で該保持部材方向に押さえつける押さえバネと、押し込んだ時に該押さえバネの反発力を減殺し、開放時に該押さえバネの反発力で元の位置に復旧する該ボタンと、を備える光コネクタである。
【０００７】
本願第一発明には、前記押さえバネが、前記ボタンを開放時に前記押さえ部材を前記挿入する光ファイバ素線の挿入方向に押し込む押し込み力も発生する光コネクタも含まれることがある。
【０００８】
本願第一発明には、前記保持部材が、保持する側の面に形成されたＶ溝で前記挿入する光ファイバ素線を保持する光コネクタも含まれることがある。
【０００９】
本願第一発明には、前記保持部材のＶ溝が、前記挿入する光ファイバ素線を保持したときに前記挿入する光ファイバ素線の一部が前記保持部材の保持する側の面からはみ出る深さである光コネクタも含まれることがある。
【００１０】
本願第一発明には、前記押さえ部材が、押さえる側の面に形成されたＶ溝で前記挿入する光ファイバ素線を押さえる光コネクタも含まれることがある。
【００１１】
本願第一発明には、前記挿入する光ファイバ素線を押さえたときに前記挿入する光ファイバ素線の一部が前記押さえ部材の押さえる側の面からはみ出る深さである光コネクタも含まれることがある。
【００１２】
本願第一発明には、前記押さえ部材が、シリコンゴム又は硬質プラスチックで構成されている光コネクタも含まれることがある。
【００１３】
本願第一発明には、前記挿入した光ファイバ素線の端面に押し当てて前記挿入する光ファイバ素線を所定の位置に係止するストッパーをさらに備える光コネクタも含まれることがある。
【００１４】
本願第一発明には、前記挿入口と反対方向から挿入して前記保持部材のＶ溝に固定した被接続光ファイバ素線である光コネクタも含まれることがある。
【００１５】
本願第一発明には、前記ストッパーが、穴部に被接続光ファイバ心線を具備するフェルールである光コネクタも含まれることがある。
【００１６】
本願第一発明には、内部の一方の側に光ファイバ心線を具備する両切りのフェルールが収容され、内部の他方の側に被接続光ファイバ心線を具備するフェルールを収容可能な空間を有するスリーブをさらに備え、前記ストッパーは該両切りのフェルールである光コネクタも含まれることがある。
【００１７】
本願第一発明には、前記挿入口が、光コネクタ筐体の内部に向けて狭くなり前記保持部材のＶ溝に導くテーパ状のガイドを有する光コネクタも含まれることがある。
【００１８】
本願第一発明には、前記ボタン及び前記挿入口が、前記光コネクタ筐体の同一面に配置されている光コネクタも含まれることがある。
【００１９】
本願第二発明は、前記挿入口が外面側になるように本願第一発明のいずれかの光コネクタを複数設置した光コネクタボックスである。
【００２０】
なお、本願明細書において、光ファイバ心線とは、光ファイバのコア、クラッドから構成され、保護被覆のない光ファイバをいう。光ファイバ素線とは、光ファイバ心線に１次被覆を被せた光ファイバをいう。両切りのフェルールとは、フェルールの両端に他のフェルールを接続できるよう、両端を研磨加工したフェルールをいう。光コネクタボックスとは、複数の光コネクタを配備して光ファイバを接続する装置をいう。
なお、これらの各構成は、可能な限り組み合わせることができる。
【発明の効果】
【００２１】
本発明の光コネクタは、特殊な工具を用いることなく簡易に組み立てることができ、良好な接続特性を確保することができる。
また、本光コネクタは、狭隘な場所にも設置できる構造であることから、本光コネクタを利用した光コネクタボックスは小型化、高密度実装が可能となる。
【発明を実施するための最良の形態】
【００２２】
（実施の形態１）
本実施の形態は、光ファイバ素線を接続する光コネクタである。本発明を実施する形態を図１、図２、図３に示す。図１、図２、図３において、１０は光コネクタ、１２は光コネクタ筐体、１４は保持部材、１６は押さえ部材、１８は押さえバネ、２０はボタン、２２は挿入口、２４はガイド、２６はストッパー、２８はガイド、３０は光ファイバ心線、３１は固定部材、３２は光ファイバ素線である。
【００２３】
図１は、ボタン２０を押し込んだ時の状態、図２は、ボタンを開放したときの状態、図３は、図２おけるＡ−Ａ’線での断面を示す図である。図１、図２において、光コネクタ筐体１２は光ファイバ素線３２を挿入する挿入口２２を備え、保持部材１４はその挿入口２２に挿入する光ファイバ素線３２を所定の位置に保持する。押さえ部材１６はその挿入口２２に挿入する光ファイバ素線３２の先端部を保持部材１４に押さえる。押さえバネ１８はバネの反発力で押さえ部材１６を保持部材１４の方向に押さえつける。ボタン２０は押し込んだときに、押さえ部材１６が保持部材１４から離れるように押さえバネ１８の反発力を減殺し、ボタン２０の開放時に、押さえバネ１８の反発力で元の位置に復旧する。
【００２４】
図２において、挿入口付近のガイド２８の形状を光コネクタ筐体の内部に向けて狭くなるテーパ状にすることが好ましい、テーパ状にすることによって、挿入する光ファイバ素線３２の挿入を容易にする。また、挿入した光ファイバ素線３２の先端を所定の位置に係止できるようなストッパーを設けることが好ましい。挿入した光ファイバ素線３２をストッパー２６に押し当てて、光ファイバ素線３２の先端を高精度に位置決めをすることができるからである。さらに、ストッパー２６の位置に、光ファイバ素線３２と反対方向から挿入した被接続光ファイバ心線３０の端面を配置すると、光ファイバ素線３２との接続を良好にすることができる。このとき、押さえバネ１８の反発力で押さえ部材１６が光ファイバ素線３２を光ファイバ素線３２の挿入方向に押し込むように、押さえバネ１８を配置する。例えば、ボタン２０を押し込んだときは、押さえバネ１８の一部が湾曲しており、ボタン２０を開放したときに押さえ部材１６が光ファイバ素線３２を押さえる際に、押さえバネ２０の湾曲した一部が伸びることによって、押さえバネ１８は押さえ部材１６を光ファイバ素線３２の挿入方向に押し込む押し込み力も発生させることができる。
【００２５】
図３において、保持部材１４は挿入した光ファイバ素線３２を所定の位置に保持する。保持部材１４は保持する側の面にＶ溝を形成し、このＶ溝に光ファイバ素線３２を保持することが好ましい。保持部材１４のＶ溝によって、位置精度を高めることができ、被接続光ファイバとの精確な位置合わせを可能にする。保持部材１４のＶ溝の深さは、挿入した光ファイバ素線３２を保持したときに、その光ファイバ素線３２の一部が保持部材１４の保持する側の面からはみ出る程度が好ましい。後述する押さえ部材１６を保持部材１４のＶ溝に合わせて細く加工する必要がなく、押さえ部材が平板状であっても、高精度に保持する位置を決定することができるからである。
【００２６】
押さえ部材１６は挿入した光ファイバ素線３２の先端部を保持部材１４の方向に押さえる。押さえ部材１６にも押さえる側の面にＶ溝を形成し、このＶ溝で光ファイバ素線３２を抑えることが好ましい。押さえ部材１６のＶ溝によって、接触面積を増やし、抑えバネ１８の押し込み力を有効に光ファイバ素線３２に伝えることができる。押さえ部材１６のＶ溝の深さは、挿入した光ファイバ素線３２を押さえたときに、その光ファイバ素線３２の一部が押さえ部材１６の押さえる側の面からはみ出る程度が好ましい。保持部材１４を押さえ部材１６のＶ溝に合わせて細く加工する必要がないからである。
【００２７】
押さえ部材１６は、押さえ部材１６の付近のガイド２８でガイドさせて位置決めを容易にしてもよい。押さえ部材１６はシリコンゴム又は硬質プラスチックで構成されていることが好ましい。光ファイバ素線３２との接触で緩衝材として機能するからである。
【００２８】
次に、光コネクタの操作について説明する。ボタン２０を押し込むと、押さえバネ１８の反発力は減殺され、押さえ部材１６が保持部材１４から離れている（図１）。この状態で、光ファイバ素線３２を挿入口２２から挿入する。挿入した光ファイバ素線３２は挿入口２２のガイド２８によって保持部材１４のＶ溝に導かれ、光ファイバ素線３２の端面がストッパー２６に押し当てられる。この状態で、ボタン２０を開放すると、押さえバネ１８は反発力で押さえ部材１６を保持部材１４の方向に押し付ける（図２）。同時に、押さえ部材１６を光ファイバ素線３２の挿入方向に押し込む。光ファイバ素線３２の先端部は保持部材１４の方向に押さえられると同時に、被接続光ファイバ心線３０に押し込まれ、光ファイバ素線３２と光ファイバ心線３０の光学的接続を可能にする。
【００２９】
光ファイバ心線３０の固定部材３１への固定方法としては、光ファイバ心線３０を光ファイバ素線３２の挿入方向と反対側から挿入し、光ファイバ心線３０の先端がストッパー２６の位置に来たときに、光ファイバ心線３０を接着剤で固着したり、かしめたりすることによって、光ファイバ心線３０の先端をストッパーの位置に固定することができる。又は、仮の光ファイバ素線を挿入口２２から挿入し、仮の光ファイバ素線の先端をストッパー２６に押し当てた状態で、光ファイバ心線３０を光ファイバ素線３２の挿入方向と反対側から挿入し、光ファイバ心線３０の先端がその仮の光ファイバ素線に突き当たったときに、光ファイバ心線３０を接着剤で固着したり、光ファイバ心線３０をかしめたりすることによって、光ファイバ心線３０の先端をストッパーの位置に固定することができる。光ファイバ心線３０の固定後は、仮の光ファイバ素線を抜きとる。
【００３０】
本実施の形態では、押さえバネ１８の形状は図１、図２のような例を示したが、この例に拘束されるものではない。ボタンの開放時に、押さえ部材を反発力で保持部材方向に押さえつけることができ、ボタンの開放時に押さえバネの反発力でボタンを復旧させることのできる形状であればよい。さらに、ボタンを開放時に押さえ部材を挿入した光ファイバ素線の挿入方向に押し込む押し込み力も発生する形状であればよい。
【００３１】
本実施の形態では、ボタン２０の形状は図１、図２のような例を示したが、この例に拘束されるものではない。押し込んだ時に押さえバネの反発力を減殺し、開放時に押さえバネの反発力で元の位置に復旧する形状であればよい。
【００３２】
以上説明したように、本実施の形態で説明した光コネクタは、特殊な工具を用いることなく簡易に組み立てることができ、良好な接続特性を確保することができる。
【００３３】
（実施の形態２）
本実施の形態は、実施の形態１に対して異なるストッパーを備える光コネクタである。本発明を実施する形態を図４に示す。図４において、１０は光コネクタ、１２は光コネクタ筐体、１４は保持部材、１６は押さえ部材、１８は押さえバネ、２０はボタン、２２は挿入口、２４はガイド、２６はストッパー、２８はガイド、３１は固定部材、３４は光ファイバ素線である。
【００３４】
図４は、ボタン２０を押し込んだ時の状態示す図である。図４において、光コネクタ筐体１２は光ファイバ素線３２を挿入する挿入口２２を備え、保持部材１４はその挿入口２２に挿入する光ファイバ素線３２を所定の位置に保持する。押さえ部材１６はその挿入口２２に挿入する光ファイバ素線３２の先端部を保持部材１４に押さえる。押さえバネ１８はバネの反発力で押さえ部材１６を保持部材１４の方向に押さえつける。ボタン２０は押し込んだときに、押さえ部材１６が保持部材１４から離れるように押さえバネ１８の反発力を減殺し、ボタン２０の開放時に、押さえバネ１８の反発力で元の位置に復旧する。
【００３５】
図４において、挿入した光ファイバ素線３２の先端を所定の位置に係止できるストッパーとして、光ファイバ素線３２と反対方向から挿入した被接続光ファイバ素線３４を利用する。ストッパー２６として、光ファイバ素線３２と反対方向から挿入した被接続光ファイバ心線３０の端面を配置すると、光ファイバ素線３２と被接続光ファイバ素線３４との接続を良好にすることができる。光ファイバ素線３２と被接続光ファイバ素線３４との外径が同じであるため、共通のＶ溝上に配置すると接続特性の向上が期待できる。
【００３６】
光ファイバ素線３４の固定部材３１への固定方法としては、光ファイバ素線３４を光ファイバ素線３２の挿入方向と反対側から挿入し、光ファイバ素線３４の先端がストッパー２６の位置に来たときに、光ファイバ素線３４に接着剤で固着したり、かしめたりすることによって、光ファイバ素線３４の先端をストッパーの位置に固定することができる。又は、仮の光ファイバ素線を挿入口２２から挿入し、仮の光ファイバ素線の先端がストッパー２６の位置にある状態で、光ファイバ素線３４を光ファイバ素線３２の挿入方向と反対側から挿入し、光ファイバ素線３４の先端がその仮の光ファイバ素線に突き当たったときに、光ファイバ素線３４を接着剤で固着したり、光ファイバ素線３４をかしめたりすることによって、光ファイバ素線３４の先端をストッパーの位置に固定することができる。光ファイバ素線３４の固定後は、仮の光ファイバ素線を抜きとる。ストッパーの位置に、凸部を設けると、つき合わせる光ファイバ素線の外径が同じであるため、良好な光ファイバ接続ができない。従って、ストッパーの位置には、線や凹部をマーカーとして設けることが望ましい。
【００３７】
以上説明したように、本実施の形態で説明した光コネクタは、特殊な工具を用いることなく簡易に組み立てることができ、良好な接続特性を確保することができる。さらに、被接続光ファイバをストッパーとすることによって、光コネクタの構造を簡単にすることができる。
【００３８】
（実施の形態３）
本実施の形態は、実施の形態１に対して異なるストッパーを備える光コネクタである。本発明を実施する形態を図５に示す。図５において、１０は光コネクタ、１２は光コネクタ筐体、１４は保持部材、１６は押さえ部材、１８は押さえバネ、２０はボタン、２２は挿入口、２４はガイド、２６はストッパー、２８はガイド、３１は固定部材、３６はフェルール、３８は光ファイバ心線である。
【００３９】
図５は、ボタン２０を押し込んだ時の状態示す図である。図５において、光コネクタ筐体１２は光ファイバ素線３２を挿入する挿入口２２を備え、保持部材１４はその挿入口２２に挿入する光ファイバ素線３２を所定の位置に保持する。押さえ部材１６はその挿入口２２に挿入する光ファイバ素線３２の先端部を保持部材１４に押さえる。押さえバネ１８はバネの反発力で押さえ部材１６を保持部材１４の方向に押さえつける。ボタン２０は押し込んだときに、押さえ部材１６が保持部材１４から離れるように押さえバネ１８の反発力を減殺し、ボタン２０の開放時に、押さえバネ１８の反発力で元の位置に復旧する。
【００４０】
図５において、挿入した光ファイバ素線３２の先端を所定の位置に係止できるストッパーとして、被接続光ファイバ心線３８を具備し、挿入する光ファイバ素線３２と反対方向から挿入したフェルール３６を利用する。ストッパー２６として、光ファイバ素線３２と反対方向から挿入したフェルール３６の端面を配置すると、光ファイバ素線３２と被接続光ファイバ心線３８との接続を良好にすることができる。被接続光ファイバ心線３８がフェルールで保護されているため、フェルール３６の固定部材３１への固定が容易になる。
【００４１】
フェルール３６の固定部材３１への固定方法としては、フェルール３６を所定の位置に系止する第二のストッパーを設ける方法がある。フェルール３６を光ファイバ素線３２の挿入方向と反対側から挿入し、フェルール３６の先端がフェルール３６を所定の位置に系止する第二のストッパー突き当たったときに、フェルール３６に接着剤で固着したり、かしめたりすることによって、フェルール３６の先端を第二のストッパーの位置に固定することができる。又は、仮の光ファイバ素線を挿入口２２から挿入し、仮の光ファイバ素線の先端がストッパー２６の位置にある状態で、フェルール３６を光ファイバ素線３２の挿入方向と反対側から挿入し、フェルール３６の先端がその仮の光ファイバ素線に突き当たったときに、フェルール３６を接着剤で固着したり、フェルール３６をかしめたりすることによって、フェルール３６の先端をストッパーの位置に固定することができる。フェルール３６の固定後は、仮の光ファイバ素線を抜きとる。
【００４２】
以上説明したように、本実施の形態で説明した光コネクタは、特殊な工具を用いることなく簡易に組み立てることができ、良好な接続特性を確保することができる。さらに、被接続光ファイバをストッパーとすることによって、光コネクタの構造を簡単にすることができる。
【００４３】
（実施の形態４）
本実施の形態は、実施の形態１に対して異なるストッパーを備える光コネクタである。本発明を実施する形態を図６に示す。図６において、１０は光コネクタ、１２は光コネクタ筐体、１４は保持部材、１６は押さえ部材、１８は押さえバネ、２０はボタン、２２は挿入口、２４はガイド、２６はストッパー、２８はガイド、３１は固定部材、３７は両切りフェルール、４０は光ファイバ心線、４２はスリーブである。
【００４４】
図６は、ボタン２０を押し込んだ時の状態示す図である。図６において、光コネクタ筐体１２は光ファイバ素線３２を挿入する挿入口２２を備え、保持部材１４はその挿入口２２に挿入する光ファイバ素線３２を所定の位置に保持する。押さえ部材１６はその挿入口２２に挿入する光ファイバ素線３２の先端部を保持部材１４に押さえる。押さえバネ１８はバネの反発力で押さえ部材１６を保持部材１４の方向に押さえつける。ボタン２０は押し込んだときに、押さえ部材１６が保持部材１４から離れるように押さえバネ１８の反発力を減殺し、ボタン２０の開放時に、押さえバネ１８の反発力で元の位置に復旧する。
【００４５】
図６において、挿入した光ファイバ素線３２の先端を所定の位置に係止できるストッパーとして、光ファイバ心線４０を具備し、挿入する光ファイバ素線３２と反対方向から挿入した両切りフェルール３７を利用する。光コネクタ１０は固定部材３１にスリーブ４２を備え、スリーブ４２の内部の一方の側に光ファイバ心線４０を具備する両切りフェルール３７を収容し、スリーブ４２の内部の他方の側に被接続光ファイバ心線を具備するフェルールを収容可能な空間を設ける。ストッパー２６として、光ファイバ素線３２と反対方向から挿入した両切りフェルール３７の端面を配置すると、光ファイバ素線３２と光ファイバ心線４０との接続を良好にすることができる。光ファイバ心線４０が両切りフェルール３７で保護されているため、両切りフェルール３７の固定部材３１への固定が容易になる。さらに、スリーブ４２の内部の他方の側から被接続光ファイバ心線を具備するフェルールを挿入することができるため、被接続側はフェルールを有する光コネクタで接続することも可能とする。
【００４６】
両切りフェルール３７の固定部材３１への固定方法としては、両切りフェルール３７を所定の位置に系止する第二のストッパーを設ける方法がある。両切りフェルール３７を光ファイバ素線３２の挿入方向と反対側から挿入し、両切りフェルール３７の先端が両切りフェルール３７を所定の位置に系止する第二のストッパー突き当たったときに、両切りフェルール３７を接着剤で固着したり、かしめたりすることによって、両切りフェルール３７の先端をストッパーの位置に固定することができる。又は、仮の光ファイバ素線を挿入口２２から挿入し、仮の光ファイバ素線の先端がストッパー２６の位置にある状態で、両切りフェルール３７を光ファイバ素線３２の挿入方向と反対側から挿入し、両切りフェルール３７の先端がその仮の光ファイバ素線に突き当たったときに、両切りフェルール３７を接着剤で固着したり、両切りフェルール３７をかしめたりすることによって、両切りフェルール３７の先端をストッパーの位置に固定することができる。両切りフェルール３７の固定後は、仮の光ファイバ素線を抜きとる。
【００４７】
以上説明したように、本実施の形態で説明した光コネクタは、特殊な工具を用いることなく簡易に組み立てることができ、良好な接続特性を確保することができる。さらに、被接続光ファイバをストッパーとすることによって、光コネクタの構造を簡単にすることができる。
【００４８】
（実施の形態５）
本実施の形態は、前述の実施の形態で説明した光コネクタを複数配置した光コネクタボックスである。本発明を実施する形態を図７、図８に示す。図７、図８において、１０は光コネクタ、１２は光コネクタ筐体、２０はボタン、２２は挿入口、２４はガイド、４４は光コネクタボックスである。
【００４９】
図７は、本発明の光コネクタボックスに適用する光コネクタの挿入口から見た外形である。ボタン２０及び挿入口２２が、光コネクタ筐体１２の同一面に配置されている。図８は、このような光コネクタ１０をボタン２０及び挿入口２２が外面側になるように複数設置した光コネクタボックスである。
【００５０】
図７に示す光コネクタは光ファイバ素線の挿入口と同じ面にボタンを配置し、光コネクタ内部を触ることなく、光コネクタ筐体の外部からボタン操作によって、光ファイバ素線を接続できる構成のため、図８のように複数の光コネクタを並置しても、光コネクタの操作性には問題がなく、光コネクタボックスを小型化、高密度実装することが可能となる。
【００５１】
図８の例では、１列に光コネクタを配列しているが、このような配列に拘束されるものではない。また、光コネクタボックスの複数の面に光コネクタを配置してもよい。
【産業上の利用可能性】
【００５２】
本発明の光コネクタ及び光コネクタボックスは、光ネットワーク機器や光ファイバ接続装置等の光通信装置へ適用のみならず、家電製品の接続、車両内配線、航空機内配線等光ファイバを接続する装置類にも適用することができる。
【図面の簡単な説明】
【００５３】
【図１】光ファイバ素線を接続する光コネクタの断面図であって、ボタン２０を押し込んだときの状態である。
【図２】光ファイバ素線を接続する光コネクタの断面図であって、ボタン２０を開放したときの状態である。
【図３】図２おけるＡ−Ａ’線での断面を示す図である。
【図４】光ファイバ素線を接続する光コネクタの断面図であって、ボタン２０を押し込んだときの状態である。
【図５】光ファイバ素線を接続する光コネクタの断面図であって、ボタン２０を押し込んだときの状態である。
【図６】光ファイバ素線を接続する光コネクタの断面図であって、ボタン２０を押し込んだときの状態である。
【図７】本発明の光コネクタボックスに適用する光コネクタの挿入口から見た外形である。
【図８】光コネクタ１０をボタン２０及び挿入口２２が外面側になるように複数設置した光コネクタボックスである。
【符号の説明】
【００５４】
１０  光コネクタ
１２  光コネクタ筐体
１４  保持部材
１６  押さえ部材
１８  押さえバネ
２０  ボタン
２２  挿入口
２４  ガイド
２６  ストッパー
２８  ガイド
３０  光ファイバ心線
３１  固定部材
３２  光ファイバ素線
３４  光ファイバ素線
３６  フェルール
３７  両切りフェルール
３８  光ファイバ心線
４０  光ファイバ心線
４２  スリーブ
４４  コネクタボックス
【図１】
2005031544.tif 000003
【図２】
2005031544.tif 000004
【図３】
2005031544.tif 000005
【図４】
2005031544.tif 000006
【図５】
2005031544.tif 000007
【図６】
2005031544.tif 000008
【図７】
2005031544.tif 000009
【図８】
2005031544.tif 000010